(57)【特許請求の範囲】
【請求項１】
ネットワーク上で公開された番組表を表示するブラウザと、短距離の通信手段を持つハンディターミナルと、
前記ハンディターミナルへ番組表データを送信するとともに、視聴後当該ハンディターミナルから視聴された番組の評価を取得する番組表提供サーバと、
前記ハンディターミナルにより選択された番組を録画もしくは表示するビデオ装置もしくはテレビ受信装置と、
前記ビデオ装置もしくはテレビ受信装置は、更に、一定時間毎にその時点での録画もしくは視聴番組の情報を前記ハンディターミナルへ送り返し、
前記ハンディターミナルは、前記情報に基づいて連続して視聴されているかどうかを確認する確認手段と、
を備えたことを特徴とする番組評価取得システム。
【請求項２】
前記ブラウザは、ｉＭｏｄｅ（登録商標）を含むインターネット技術を用いて前記番組表を表示し、
前記短距離の通信手段は、ＩＲ−ＤＡ（登録商標）、またはＢｌｕｅＴｏｏｔｈ（登録商標）であること、
を特徴とする請求項１に記載の番組評価取得システム。
【請求項３】
前記ハンディターミナルは、選択した番組の情報を蓄積する記憶部と、
前記番組表提供サーバにより前記番組の評価が取得された場合に、前記選択した番組の情報を前記記憶部から消去する消去手段と、
をさらに備えたことを特徴とする請求項１または２に記載の番組評価取得システム。
【発明の詳細な説明】
【０００１】
【発明の属する技術分野】
本発明は、番組評価取得システムに関し、特に、ネットワーク上で公開された番組表を利用して、実際に録画もしくは視聴した番組の、その視聴者にとっての評価を取得する番組評価取得システムに関する。
【０００２】
【従来の技術】
従来、番組の評価は、モニターの視聴実績により算出されていた。
【０００３】
【発明が解決しようとする課題】
しかしながら、従来の技術では以下の問題点があった。
すなわち、モニター数が少ないという問題点があった。また、モニターのいない地域での視聴率は算出されないという問題点があった。更に、視聴率は、視聴者の番組評価と必ずしも一致するわけではないという問題点があった。
【０００４】
本発明は上記に鑑みてなされたものであって、番組の評価を容易に取得できる番組評価取得システムを提供することを目的とする。
【０００５】
【課題を解決するための手段】
上記の目的を達成するために、請求項１に記載の番組評価取得システムは、ネットワーク上で公開された番組表を表示するブラウザと、短距離の通信手段を持つハンディターミナルと、前記ハンディターミナルへ番組表データを送信するとともに、視聴後当該ハンディターミナルから視聴された番組の評価を取得する番組表提供サーバと、前記ハンディターミナルにより選択された番組を録画もしくは表示するビデオ装置もしくはテレビ受信装置と、前記ビデオ装置もしくはテレビ受信装置は、更に、一定時間毎にその時点での録画もしくは視聴番組の情報を前記ハンディターミナルへ送り返し、前記ハンディターミナルは、前記情報に基づいて連続して視聴されているかどうかを確認する確認手段と、を備えたことを特徴とする。
【０００６】
また、請求項２に記載の番組評価取得システムは、請求項１に記載の番組評価取得システムにおいて、前記ブラウザは、ｉＭｏｄｅ（登録商標）を含むインターネット技術を用いて前記番組表を表示し、前記短距離の通信手段は、ＩＲ−ＤＡ（登録商標）、またはＢｌｕｅＴｏｏｔｈ（登録商標）であること、を特徴とする。
また、請求項３に記載の番組評価取得システムは、請求項１または２に記載の番組評価取得システムにおいて、前記ハンディターミナルは、選択した番組の情報を蓄積する記憶部と、前記番組表提供サーバにより前記番組の評価が取得された場合に、前記選択した番組の情報を前記記憶部から消去する消去手段と、をさらに備えたことを特徴とする。
【０００７】
【発明の実施の形態】
以下、本発明の実施の形態を図面を参照しながら詳細に説明する。
図１は、本発明の番組評価取得システムのシステム構成の一例を示した説明図である。番組情報検索評価システムは、ハンディターミナル１と、番組表提供サーバ２と、ＴＶ受像機３と、を有する。なお、以降においては、ＴＶ受像機３を適宜単にテレビ３と称することとする。
【０００８】
ハンディターミナル１は、記憶装置１１と、ネットワーク上で公開された番組表をｉＭｏｄｅ等のインターネット技術を使用して表示できるブラウザ１２および、ＩＲ−ＤＡやＢｌｕｅＴｏｏｔｈのような短距離の通信手段１３を有する。番組表提供サーバ２は上記ハンディターミナル１で表示可能な番組表を提供する。
【０００９】
ユーザが、ハンディターミナル１上で録画もしくは視聴したい番組を選択するとその情報はＩＲ−ＤＡもしくはＢｌｕｅＴｏｏｔｈなどの通信手段１３を通じて、ビデオ受信機もしくはテレビ３に送られる。このとき同時にハンディターミナル１内の記憶装置１１に選択した番組の情報蓄積される。視聴者は視聴後、ハンディターミナル１の記憶装置１１に蓄積された番組情報を基にその番組の評価を番組表提供サーバ２に送信する。番組表提供サーバ２では、複数の視聴者から集まった番組評価をもとに番組の評価を総合的に計算する。
【００１０】
ハンディターミナル１は、例えばｉ−Ｍｏｄｅ端末を採用することができ、これはネットワークを通して番組表提供サーバ２の提供する、ｗｅｂサーバなどで構築されたサーバにアクセスできる。
【００１１】
ハンディターミナル１の上にはブラウザ１２が搭載されており、番組表提供サーバ２から送信された番組表を表示することができる構成となっている。ここで、ある番組に視聴者が興味を持った時に、ブラウザ１２上でその番組をクリックすると、その番組の情報がハンディターミナル１の持つもう一つの通信手段１３を通してテレビ３に送られる。
【００１２】
このときの通信手段１３としては例えばＩＲ−ＤＡやＢｌｕｅＴｏｏｔｈが挙げられる。こうして送られた番組情報に従いテレビ３は、その番組を選択もしくは録画する。番組情報はハンディターミナル２からテレビ３へ送られるとともに、ハンディターミナル内の記憶装置１１に蓄積される。
【００１３】
視聴後、再度ブラウザ１２を使用して番組表提供サーバ２へアクセスし、この時に記憶装置１１内にある番組が選択されたことが記憶されていると、番組表提供サーバ２からは、その番組の評価を問い合わせる画面が送られる。視聴者はこの新しい画面に従い、その番組の評価を入力する。評価の入力が終了すると、記憶装置１１内のその番組を指定したという情報は消去される。
【００１４】
この例では、ハンディターミナル１からテレビ３へ番組情報が一度送られるだけであり、その時点でテレビ３が番組を取得する状態になっていない場合には、実際には視聴されていないのに、後にその番組の評価を入力されてしまうという危険性がある。そこで、一定時間ごとにテレビ３からハンディターミナル１へ現在の聴取番組の情報を送り、これをハンディターミナル１内で確認することで、番組を見ていないのにその番組の評価が送られてしまうという危険性を排除できる。
【００１５】
【発明の効果】
本発明により、番組表提供サーバから番組情報をハンディターミナルを通してテレビに送り、その後番組表提供サーバに評価を送り返すので、低コストでかつ比較的正確な評価を大量の視聴者から取得可能となるという効果を奏する。
【００１６】
また、本発明により、番組表提供サーバから得た番組情報だけではなく、実際に視聴したかどうかをテレビから送り返しているので、実際の視聴状態を番組表提供サーバに送り返すことが可能となり、より正確な番組評価を視聴者から入手可能となるという効果を奏する。
【図面の簡単な説明】
【図１】本発明の番組評価取得システムのシステム構成の一例を示した説明図である。
【符号の説明】
１     ハンディターミナル
２     番組表提供サーバ
３     ＴＶ受像機
１１   記憶装置
１２   ブラウザ
１３   通信手段
【図１】
0004578007.tif 000002